(57)【要約】【課題】  爪切と支持具とが互いに回動することにより、爪切の確実な支持と爪の切断とが容易にできる支持具付きの爪切及びその爪切に用いる支持具の提供を目的とする。【解決手段】  指を入れる輪状の指入と、この指入の一端から延出して設けた取付片とを有する支持具を、爪切に対して回動可能な状態で取付けることにより支持具付きの爪切とした。  支持具の指入に指を入れて爪切を支持すると、爪切は支持具に対して回動し、その向きを自由に変えられるので、爪と爪切との位置関係を簡単に設定することができる。【選択図】        図１
2006341051.tif 000002
【特許請求の範囲】
【請求項１】
その一端側には対向配置した一対の押切刃を、この押切刃の設けられていない他端側には掛止用の孔を設けた爪切本体と、この爪切本体の前記押切刃側には、押切刃を押圧操作する操作桿を設けた爪切と、
この爪切の前記掛止用の孔に取付けると共に、指を挿入する輪状の指入と、この指入の一端から延出して設けた取付片を有する支持具とからなり、この支持具は前記爪切に対して、回動するように取付けたことを特徴とする支持具付きの爪切。
【請求項２】
その一端側には対向配置した一対の押切刃を、この押切刃の設けられていない他端側には掛止用の孔を設けた爪切本体と、この爪切本体の前記押切刃側には、押切刃を押圧操作する操作桿を設けた爪切と、
この爪切の前記掛止用の孔に取付けると共に、指を挿入する輪状の指入と、この指入の一端から延出して設けた取付片を有する１対の支持具とからなり、この１対の支持具は前記爪切に対して対向させて配置し、それぞれが個別に回動するように取付けたことを特徴とする支持具付きの爪切。
【請求項３】
爪切の一端に設けた爪切掛止用の孔に、回動可能な状態で取付ける取付孔付きの取付片と、
この取付片の一端に設けられ、前記爪切の操作時に指を挿入して前記爪切を支持する輪状の指入とからなる支持具。
【請求項４】
爪切の一端に設けた爪切掛止用の孔に、回動可能な状態で取付ける取付孔付きの取付片と、
この取付片の一端に設けられ、前記爪切の操作時に指を挿入して前記爪切を支持すると共に、その径を可変可能な状態で設けた輪状の指入とからなる支持具。
【請求項５】
爪切の一端に設けた爪切掛止用の孔に、回動可能な状態で取付ける取付孔付きの取付片と、
この取付片の一端に設けられ、前記爪切の操作時に指を挿入して前記爪切を支持する輪状の指入と、
この指入れに隣接した状態で設けられ、前記指入に挿入した指とは異なる他の指に当接するための指掛とからなる支持具。
【発明の詳細な説明】
【技術分野】
【０００１】  本発明は、爪切に支持具を装着することで、確実に爪切を保持して、容易に操作できるように改善した支持具付きの爪切及びその爪切に用いる支持具に関する。
【背景技術】
【０００２】  従来例の支持具を設けた爪切としては、爪切りの一端側に半円環を設けて、この半円環に指先を挿入して用いる爪切がある。（例えば特許文献１参照）
【特許文献１】  実開平６−６２９０６号公報（第３頁、図１）
【発明の開示】
【発明が解決しようとする課題】
【０００３】  特許文献１に示す爪カッター改良安定装置は、爪切の一端を延長して、その延長部分を湾曲することで、半円環５を設けている。すなわち爪切とは一体で、かつ爪切と半円環とは一直線上に配設したものである。
爪切は複数の指を使って支持するが、手や足などの切断する指の爪によって、支持角度などを変えながら用いるものである。更に同じ指の爪であっても、爪を円弧状に切断するためにも、微妙に角度を変えたり握り方も変化させたりして使用する。
この従来例で示す爪切と一体に形成した半円環５は、爪切と一直線状に固定された状態で設けられているために、指を挿入すると握り方を変えたり、指先で微妙な角度変化を付けたりすることが困難であった。
このような動作は、特に高齢者や、手の不自由な人にとっては、自由に指先が動かせないと、使い易いように考えた支持具付きの爪切も、使用困難になってしまった。
本発明は、このような欠点を解消するためになされたものであり、爪切と支持具とが互いに回動することによって、爪切の確実な支持と、爪の切断が容易にできる支持具付きの爪切及びその爪切に用いる支持具の提供を目的とする。
【発明を解決するための手段】
【０００４】  上記不具合を解決するために、本発明は次のような構成としている。
請求項１に記載した支持具付きの爪切は、その一端に対向配置した１対の押切刃と、他端側には掛止用の孔とを設けた爪切本体と、この爪切本体を押圧操作するための操作桿とを設けた爪切の、前記掛止用の孔に取付けられると共に、指を挿入する輪状の指入と、この指入の一端から延出して設けた取付片とを有する支持具とで、支持具付きの爪切とした。
支持具は爪切に対して、回動可能な状態で取付けることにより、前記指入に指を挿入すると、確実に支持したり使用の際に角度を容易に変化させたりすることができる。
請求項２に記載した支持具付きの爪切は、請求項１に記載した支持具を、前記掛止用の孔に１対として取付けると共に、それらの支持具は爪切本体に対して、それぞれ独立して回動するように取付けることで、支持具付きの爪切とした。
このような支持具付きの爪切によれば、１対の支持具に対して、それぞれ異なる指を挿入することができるので、２本の指で爪切の確実な支持ができるものである。
請求項３に記載した支持具は、爪切の一端に設けた爪切掛止用の孔に、回動可能な状態で取付けできる取付片に、前記爪切の操作に際して、指を挿入できる輪状の指入を設けることで支持具とした。
このような支持具によれば、指入に指を挿入して、爪切用の支持具として使用できるから、高齢者や指の動きが不自由な人も、自分で爪切ができる。
請求項４に記載した支持具は、請求項３に記載した指入の一部を開放して、その径が可変可能な状態の支持具とした。このような支持具によれば、指入が切断されているために指入の径を調整できるので、使用者の指の太さに対応できるものである。
請求項５に記載した支持具は、請求項３あるいは請求項４に記載した支持具に、支持具と一体又は別体で指掛を設けて支持具とした。
この支持具によれば、爪切の支持を更に確実に、しかも簡単に支持することができる。
【発明の効果】
【０００５】  本発明によれば、爪切の一端に回動可能な状態で支持具を設けたことにより、以下の効果を得ることができた。
すなわち、指入に指を挿入して、爪切を他の指上に乗せることにより、爪切の支持ができるので、爪切本体を指同士で挟むことなく、しかも爪切の支持角度を、自由に変えることができるようになった。
その結果、爪切の確実な支持と、切断する爪に対して切断刃を、都合の良い方向や位置に向けることが、容易にできるようになった。
爪切に対して１対の支持具を取付けると、２本の指で爪切を支持することができるので、指入が指に対して回転することもなくなり、常に一定の状態で支持することができる。
また、１対の支持具は爪切本体に対して、それぞれ独立して回動するから、互いに異なった角度で２本の指に支持させることができて、支持状態が更に安定化する。
以上のことから、高齢者にとって安心して爪を切ることができるようになった。また、指の動きに多少の不都合があっても、自分で爪を切ることができるなどの効果を得ることができた。
【発明を実施するための最良の形態】
【０００６】  本発明について、図面を参照して説明する。図１は本発明の支持具付きの爪切を、使用可能な状態にして示す斜視図、図２は図１の爪切を破断して示す分解斜視図、図３は図２で示す保持具の斜視図、図４は図１の使用説名図である。
本発明の支持具付きの爪切１０は、図１で示すように、押圧操作により爪を切断する爪切１２と、この爪切の端部で図中の矢印Ａで示す方向に、回動するようにして取付けた爪切用の支持具２０とからなる。
爪切１２は一端側に対向配置した１対の押切刃１５と、他端側には爪切を掛止するための孔とを設けた爪切本体１４と、この爪切本体１４の押切刃側に設けた押切刃押圧用の操作桿１７とからなる。
このような爪切１２は、一般に市販されているもので、操作桿１７と接合した側の押切刃１５が、図中の矢印Ｂで示す方向に降下して、爪を切断するものである。尚図１で示した爪切１２は、使用可能な状態に操作桿１７を配設した状態を示している。
この市販の爪切１２には、図２で示すように爪切本体１４の端部に、爪切を一定の場所に吊下げて、保管するための孔１６が設けられており、この孔１６を利用して掛止することができる。この孔１６に取付ける支持具２０について説明する。
支持具２０は図２で示すように、爪切本体１４に設けた孔１６に取付けるもので、支持具２０に設けた取付孔を用いて、ボルトやナット又は組ねじなどの取付手段１８で、爪切とは往復方向に回転可能な状態で取付けるものである。【０００７】このように爪切１２に取付ける保持具２０は、図３で示すように爪切本体１４の孔１６に、取付けするために設けた第１の取付片２１と、この第１の取付片を延出して設けた輪状の指入２４と、この輪状の指入の終端部を折曲して、第１の取付片２１とは平行状態に配設した第２の取付片２５とから形成している。
また、第１の取付片２１には長孔２２を、第２の取付片２５には孔２６を設けている。この孔２６と長孔２２とに、取付手段１８であるねじ類を挿入して、爪切本体１４に取付けている。
長孔２２は、保持具２０を形成する輪状の指入２４の直径を可変するものであり、第１の取付片２１の端部側に、図２で示したねじ類を位置させると径が大きくなり、逆方向に位置させると径が小さくなるもので、使用者の指の太さに合せて調整することができる。
このようにして爪切１２に、支持具２０を取付けた支持具付きの爪切１０の使用例について、図面を参照して説明する。
図４で示すように支持具２０の指入２４には、人差指を入れて人差指と中指とで、指入２４の一部を挟むようにして支持すると共に、爪切１２を他の指で支えるようにして、支持具付きの爪切１０全体を支持する。
爪を切るには、操作桿１７を親指で押圧して操作することは、一般の爪切と同様である。尚、指入２４に入れる指は、人差指として説明したが、どの指を入れても良く保持具２０の支持方法も、上述した例にこだわることはない。
支持具２０を指で支持すると、爪切１２が回動するので、都合の良い方向に向けて爪を切ることができる。支持具を用いない爪切は、手首や指を曲げることで、爪切の方向を定めて使用したが、本発明によれば手首や指を略一定にして、爪切だけを回動させることで、安定した状態で使用できるから、深爪などの心配も少なく、指の動きに支障があっても、支持する指を変えることで対応することができる。【０００８】  本発明の他の支持具について、図面を参照して説明する。図５は本発明の他の例の支持具を示す斜視図である。
他の例で示す支持具３０は、図５で示すように爪切に取付けるための孔３２を設けた取付片３１と、この取付片を延出して設けた輪状の指入３４とからなり、指入の先端部には前述例と異なり、第２の取付片を設けることなく輪状のままである。
また、その先端部は取付片３１とは接合することなく、互いに離間した状態である。従って、この支持具３０を合成樹脂や金属などの弾性体で形成すると、図中の矢印で示す方向に広がり、その径を大きくできるように設定している。
指入３４の径は前述例よりも小さく設定して、指を入れると弾性によってその直径が大きくなり、径の大きさを調整可能に形成したと同じ効果を得ることができる。
このような支持具３０によれば、前述例のように使用者の指の太さに合せて、その径を調整することが不要であり、爪切への取付けも簡単である。この支持具３０も図２で示した前述例と同様に、取付手段１８を用いて、爪切に取付けるものである。【０００９】  １つの爪切に対して、２つの支持具を用いる例について、図面を参照して説明する。図６は図５で示した支持具の使用例を示す一部破断斜視図である。
図６で示すように図５で示した支持具３０は、１つの爪切に対して、その表裏面にそれぞれ対向配置させて使用することができる。
このような使用例によれば、それぞれの指入３４に、例えば人差指と中指とを挿入すると、２本の指だけで爪切を支持することができる。
それぞれの支持具３０は、爪切に対して一体となって動くものではなくて、独立して回動することができるから、支持しやすい角度に振り分けて使用することができるものであり、支持状態を更に安定化することができる。
爪切に対して２個の支持具を用いる例は、図５で示した支持具３０だけではなくて、図３で示したように前述例の支持具２０も、同様に用いることができるものである。【００１０】  ２個の支持具を用いることにより、２本の指で支持できる例について説明したが、１つの支持具で２本の指を用いる支持具について、図面を参照して説明する。
図７はその他の例の第１実施例を示す支持具の斜視図、図８はその他の例の第２実施例を示す支持具の斜視図である。
図７で示すように、その他の例の第１実施例で示す支持具４０は、図５で示した支持具３０に一体化して、更に指入４４を追加した構成であり、２つの指入４４は、互いに対向配置している。
このような支持具４０も図示せぬ爪切に、前述例と同様に取付けて用いるものであり、２本の指で支持することができるし、爪切とは回動するように取付けられることも同じである。
但し、図６で示したように指入４４は、独立して回動しないが、爪切に対する取付けは１つの取付片４１だけであるから、孔４２を用いて簡単に取付けできるものである。【００１１】  図８で示すように、その他の例の第２実施例で示す支持具５０は、図５で示した支持具３０に、Ｌ字状の指掛５８を一体化したものである。
すなわち、孔５２を設けた取付片５１と、輪状の指入５４との接合部に指掛５８を設けた構成であり、指入５４に例えば人差指を入れると、中指に指掛５８が当接して、爪切を支持することができる。
前述例なども含めて、指を２本使用するこれらの例は、指と直交する方向に、爪切を支持することができるものであり、支持具を２本の指で挟んだりすることなく、指を入れるだけで爪切を支持できる作用があるものである。
図８で示した孔５２付きの取付片５１は、指掛５８のある指入５４の終端部側に設けているが、これを指入５４の始端部側に設けることも可能である。【００１２】  合成樹脂製の成型品や、金属加工した支持具について説明したが、他の材料を用いた支持具も可能であり、線材や帯材などを用いることによって、金型なども不要となり、これらについて以下に説明する。
図９は帯材を用いた例の支持具とその取付を示す一部破断斜視図である。
線材や帯材のうち帯材を用いた支持具６０は、図９で示すように皮や軟質性のバンドよりなる帯材の両端に、前述したような孔や長孔を設けると共に、湾曲させて爪切に取付けることにより、支持具６０としたものである。
すなわち、帯材の両端に孔を設けて、それぞれを取付片６１となし、取付片を爪切１２に取付けることによって、輪状の指入６４を形成する。
爪切への取付手段６８としては、ボルト状のファスナー類に、指掛６９となる棒状のナットや筒体を圧入して、支持具６０を取付けている。このような構成によれば、細長い棒状のナットや筒体に、図８で示した指掛５８と同じ作用を持たせたものである。
また、線材を用いた支持具は、輪形を形成した線材の端部に、線材で小さな丸形を形成して、孔付きの取付片とすることもでき、更に太い線材の一端を圧延して取付片を形成すると共に、孔を設けるようにしてもよい。
このように形成した支持具も、爪切１２に対して前述例と同様に回動することは同じであり、指掛は支持具と一体あるいは別体で設けてもその作用は同じである。【００１３】  以上説明した本発明の支持具は、指を挿入することによって、爪切を回動させるものであるから、爪切をその都度持ち変えることもなく確実に支持することができる。
従って、図示した支持具は指入の径を、可変できるように説明したが、径を一定としたリング状の指入に、取付片を突出させて設けた支持具を、爪切に対して回動可能な状態で取付けるようにした構成でも良いことはもちろんである。
爪切と支持具とは別体であるから、自分が今まで使っていた好みの爪切に簡単に取付ができて、安心して爪を切ることができるので、高齢者や身障者にとって、強い味方となる爪切用の支持具である。
【図面の簡単な説明】
【００１４】
【図１】  本発明の支持具付きの爪切を、使用可能な状態にして示す斜視図である。
【図２】  図１の爪切を破断して示す分解斜視図である。
【図３】  図２で示す保持具の斜視図である。
【図４】  図１の使用説明図である。
【図５】  本発明の他の例の支持具を示す斜視図である。
【図６】  図５で示した支持具の使用例を示す一部破断斜視図である。
【図７】  本発明のその他の例の第１実施例の支持具を示す斜視図である。
【図８】  本発明のその他の例の第２実施例の支持具を示す斜視図である。
【図９】  帯材を用いた例の支持具と、その取付を示す一部破断斜視図である。
【符号の説明】
【００１５】１０  支持具付きの爪切
１２  爪切
１４  爪切本体
１５  押切刃
１６  孔
１７  操作桿
１８  取付手段
２０  支持具
２４  指入
３０  支持具
３１  取付片
３４  指入
４０  支持具
５０  支持具
５８  指掛
６０  支持具
６９  指掛
【図１】
2006341051.tif 000003
【図２】
2006341051.tif 000004
【図３】
2006341051.tif 000005
【図４】
2006341051.tif 000006
【図５】
2006341051.tif 000007
【図６】
2006341051.tif 000008
【図７】
2006341051.tif 000009
【図８】
2006341051.tif 000010
【図９】
2006341051.tif 000011